(57)【要約】  【課題】専用のＹ／Ｃ信号の変換回路を追加しなくても外部から入力されるＹ／Ｃ信号の映像情報をビデオテープに記録することのできるビデオテープおよび記録ディスクの記録再生装置および記録再生装置一体型テレビジョン受像機を提供する。  【解決手段】外部入力端子１５から入力されたＹ／Ｃ信号（外部映像信号Ｓｂｙ）はビデオデコーダ１７でデジタル信号である記録映像信号Ｓｃに変換され、さらに記録映像信号Ｓｃはビデオエンコーダ２１でコンポジット信号（コンポジット映像信号Ｓｆｃ）に変換される。このコンポジット映像信号Ｓｆｃを用いて、ＶＴＲ部２４は外部映像信号Ｓｂｙの映像情報をビデオテープ２５に記録する。【選択図】  図１
2006135854.tif 000002
【特許請求の範囲】
【請求項１】
放送受信部から出力される放送映像信号または外部から入力されるＹ／Ｃ信号を変換してデジタル信号を出力するビデオデコーダと、
前記デジタル信号をＤＶＤに記録すると共に当該ＤＶＤに記録されたデータを再生するＤＶＤ記録再生手段と、
前記再生されたデータまたは前記デジタル信号のいずれかを変換してコンポジット信号およびＹ／Ｃ信号を出力するビデオエンコーダと、
入力されるコンポジット信号をビデオテープに記録すると共に当該ビデオテープに記録されたデータを再生するビデオテープ記録再生手段と、
前記放送映像信号の映像、前記ＤＶＤの再生映像および前記ビデオテープの再生映像を表示するモニタと、を備え、
前記外部から入力されるＹ／Ｃ信号の映像情報を前記ビデオテープに記録する場合には、前記デジタル信号から変換されたコンポジット信号が前記ビデオテープ記録再生手段に入力されることを特徴とする記録再生装置一体型テレビジョン受像機。
【請求項２】
外部から入力されるＹ／Ｃ信号を変換してデジタル信号を出力するビデオデコーダと、
前記デジタル信号を記録ディスクに記録すると共に当該記録ディスクに記録されたデータを再生するディスク記録再生手段と、
前記再生されたデータまたは前記デジタル信号のいずれかを変換してコンポジット信号およびＹ／Ｃ信号を出力するビデオエンコーダと、
入力されるコンポジット信号をビデオテープに記録すると共に当該ビデオテープに記録されたデータを再生するビデオテープ記録再生手段と、を備え、
前記外部から入力されるＹ／Ｃ信号の映像情報を前記ビデオテープに記録する場合には、前記デジタル信号から変換されたコンポジット信号が前記ビデオテープ記録再生手段に入力されることを特徴とする記録再生装置。
【発明の詳細な説明】
【技術分野】
【０００１】
本発明は、ビデオテープおよび記録ディスクに映像信号を記録する記録再生装置および記録再生装置一体型テレビジョン受像機に関する。
【背景技術】
【０００２】
近年、ＤＶＤレコーダとＶＴＲ（ビデオテープレコーダ）とが一体化された装置やＤＶＤレコーダとＶＴＲとを内蔵したテレビジョン受像機（以下、テレビという）が多くのユーザに使用されている。これらの装置は、デジタルビデオカメラやデジタル放送テレビ、ＢＳ対応テレビなどが接続される外部入力端子として、Ｙ／Ｃ信号が入力されるＳ端子とコンポジット信号が入力されるＡｕｘ端子とを備える。そして、デジタルビデオカメラなどから出力されるＹ／Ｃ信号またはコンポジット信号の映像情報を記録型のＤＶＤ（ＤＶＤ−ＲやＤＶＤ−ＲＷなど）またはビデオテープに記録する。綺麗な映像情報を記録するという点では、Ｙ／Ｃ信号を用いるのが望ましいが、ＶＨＳ方式のＶＴＲではコンポジット信号しか用いることができない。そこで、ＤＶＤに記録する場合にはデジタルビデオカメラなどがＳ端子に接続され、ビデオテープに記録する場合にはＡｕｘ端子に接続される。尚、Ｓ−ＶＨＳ方式のＶＴＲではＹ／Ｃ信号を用いてビデオテープの記録を行うことができる。
【０００３】
下記の特許文献１には、３種類の映像信号、すなわち輝度信号と２つの色差信号とからなるコンポーネント信号、輝度信号とクロマ信号とからなるＹ／Ｃ信号、およびコンポジット信号を出力するデジタルテレビ受信装置が示されている。下記の特許文献２には、コンポジット信号をコンポーネント信号に変換し、コンポーネント信号をデジタル化してビデオテープに記録するデジタルＶＴＲが示されている。
【特許文献１】特開平８−１０２９６３号公報（要約、段落００２５〜００３７）
【特許文献２】特開平６−４６４５３号公報（要約）
【発明の開示】
【発明が解決しようとする課題】
【０００４】
上記のように、ＤＶＤまたはビデオテープのいずれに記録するかによって、デジタルビデオカメラなどをＳ端子に接続したり、Ａｕｘ端子に接続したりするのは、ユーザには煩雑であり、ユーザが接続先を間違えることもある。この問題は常にＳ端子に接続することで解決される。しかし、Ｙ／Ｃ信号の映像情報をＶＨＳ方式のＶＴＲでビデオテープに記録するためには、Ｙ／Ｃ信号をコンポジット信号に変換する専用回路を追加して、専用回路から出力されるコンポジット信号を用いなければならない。このため、専用回路の分だけ製造コストが高くなるという問題が生じる。
【０００５】
本発明は、上記問題点を解決するものであって、その課題とするところは、専用のＹ／Ｃ信号の変換回路を追加しなくても、外部から入力されるＹ／Ｃ信号の映像情報をビデオテープに記録することのできるビデオテープおよび記録ディスクの記録再生装置および記録再生装置一体型テレビジョン受像機を提供することにある。
【課題を解決するための手段】
【０００６】
本発明の記録再生装置は、外部から入力されるＹ／Ｃ信号を変換してデジタル信号を出力するビデオデコーダと、上記デジタル信号を記録ディスクに記録すると共に当該記録ディスクに記録されたデータを再生するディスク記録再生手段と、再生されたデータまたは上記デジタル信号のいずれかを変換してコンポジット信号およびＹ／Ｃ信号を出力するビデオエンコーダと、入力されるコンポジット信号をビデオテープに記録すると共に当該ビデオテープに記録されたデータを再生するビデオテープ記録再生手段と、を備える。そして、外部から入力されるＹ／Ｃ信号の映像情報をビデオテープに記録する場合には、上記デジタル信号から変換されたコンポジット信号がビデオテープ記録再生手段に入力される。
【０００７】
ここで、ディスク記録再生手段には、実施形態に示すＤＶＤ記録再生部１９、ＭＰＥＧ２エンコーダ１８およびＭＰＥＧ２デコーダ２２が相当する。上記のディスク記録再生手段は、ＤＶＤだけではなくＣＤ−ＲＷなどの光ディスクやハードディスクなどの記録・再生も行うことができる。ビデオテープ記録再生手段には、実施形態に示すＶＴＲ部２４が相当する。このビデオテープ記録再生手段は、Ｙ／Ｃ信号を記録する機能を有さないものであり、例えば、ＶＨＳ方式のＶＴＲのようなものである。また、本発明の記録再生装置は、独立した装置に限定されるものではなく、テレビジョン受像機と一体化されたものであってもよい。
【０００８】
このようにすることで、ビデオテープ記録再生手段がＹ／Ｃ信号をビデオテープに記録する機能を備えていなくても、外部から入力されるＹ／Ｃ信号の映像情報をビデオテープに記録することができる。しかも、記録ディスクの記録・再生に必須のビデオデコーダとビデオエンコーダとを用いて、上記Ｙ／Ｃ信号をビデオテープの記録に使用するコンポジット信号に変換するので、上記Ｙ／Ｃ信号をコンポジット信号に変換する専用の変換回路を追加しなくても上記Ｙ／Ｃ信号の映像情報をビデオテープに記録することができる。つまり、製造コストの増加が防止される。尚、上記のビデオエンコーダが出力するＹ／Ｃ信号は、記録ディスクの再生映像などの表示用の信号として使用される。
【０００９】
本発明の記録再生装置一体型テレビジョン受像機は、放送受信部から出力される放送映像信号または外部から入力されるＹ／Ｃ信号を変換してデジタル信号を出力するビデオデコーダと、上記デジタル信号をＤＶＤに記録すると共に当該ＤＶＤに記録されたデータを再生するＤＶＤ記録再生手段と、再生されたデータまたは上記デジタル信号のいずれかを変換してコンポジット信号およびＹ／Ｃ信号を出力するビデオエンコーダと、入力されるコンポジット信号をビデオテープに記録すると共に当該ビデオテープに記録されたデータを再生するビデオテープ記録再生手段と、放送映像信号の映像、ＤＶＤの再生映像およびビデオテープの再生映像を表示するモニタと、を備える。そして、外部から入力されるＹ／Ｃ信号の映像情報をビデオテープに記録する場合には、上記デジタル信号から変換されたコンポジット信号がビデオテープ記録再生手段に入力される。
【００１０】
ここで、ＤＶＤ記録再生手段には、実施形態に示すＤＶＤ記録再生部１９、ＭＰＥＧ２エンコーダ１８およびＭＰＥＧ２デコーダ２２が相当する。また、ビデオテープ記録再生手段には、実施形態に示すＶＴＲ部２４が相当する。このビデオテープ記録再生手段は、Ｙ／Ｃ信号を記録する機能を有さないものであり、例えば、ＶＨＳ方式のＶＴＲのようなものである。
【００１１】
このようにすることで、ビデオテープ記録再生手段がＹ／Ｃ信号をビデオテープに記録する機能を備えていなくても、外部から入力されるＹ／Ｃ信号の映像情報をビデオテープに記録することができる。しかも、ＤＶＤの記録・再生に必須のビデオデコーダとビデオエンコーダとを用いて、上記Ｙ／Ｃ信号をビデオテープの記録に使用するコンポジット信号に変換するので、上記Ｙ／Ｃ信号をコンポジット信号に変換する専用の変換回路を追加しなくても上記Ｙ／Ｃ信号の映像情報をビデオテープに記録することができる。つまり、製造コストの増加が防止される。尚、上記のビデオエンコーダが出力するＹ／Ｃ信号は、ＤＶＤの再生映像などをモニタに表示させる信号として使用される。
【発明の効果】
【００１２】
本発明によれば、記録ディスクの記録・再生に必須の回路を用いて外部から入力されるＹ／Ｃ信号をビデオテープの記録に使用するコンポジット信号に変換するので、専用のＹ／Ｃ信号の変換回路を追加しなくても上記Ｙ／Ｃ信号の映像情報をビデオテープに記録することができる。
【発明を実施するための最良の形態】
【００１３】
図１は、本発明に係る記録再生装置一体型テレビジョン受像機の一例であるＤＶＤレコーダ・ＶＴＲ一体型テレビジョン受像機（以下、装置という）のブロック図である。図中の矢印付きの破線は制御信号や制御データの流れを示す。尚、テレビ放送の音声信号の処理は本発明の直接的事項ではないので、図示および説明を省略する。
【００１４】
制御部１０はＣＰＵ１０ａやメモリ１０ｂ、不図示の制御回路などから構成される。メモリ１０ｂは、ＲＯＭ、ＲＡＭおよびフラッシュメモリから構成される。ＣＰＵ１０ａは、ＲＯＭに格納されているプログラムを実行することによって、装置の各部の動作を制御する。ＲＡＭは、各種の制御データ等の記憶領域およびＣＰＵ１０ａの演算作業領域として使用される。フラッシュメモリには、ビデオエンコーダ２１などの初期設定データが保存されており、電源の投入後にＣＰＵ１０ａがこれらの初期設定データをビデオエンコーダ２１などに設定することで、ビデオエンコーダ２１などが所望の動作をする。また、後述のＶＴＲ部２４の内部などにもＣＰＵやメモリが設けられており、実際には複数のＣＰＵが連携して動作することにより装置の制御が行われる。リモコン１１には多数の操作キーが設けられている。制御部１０が押された操作キーに応じて装置の各部を制御することによって、ＤＶＤ（デジタル多用途ディスク）２０やビデオテープ２５の記録・再生などが行われる。
【００１５】
次に、映像信号の流れについて説明する。放送受信部１３は、アンテナ１２で受信された放送信号を選局し、さらに選局された放送信号の増幅および検波を行い、コンポジット信号である放送映像信号Ｓａｃを出力する。入力信号選択部１６は、制御部１０が設定する制御データに従って（または、制御部１０が送出する制御信号に従って）、上記の放送映像信号Ｓａｃ、外部入力端子１４から入力されるコンポジット信号、または外部入力端子１５から入力されるＹ／Ｃ信号（以下、外部映像信号Ｓｂｙという）のいずれかを選択して出力する。アナログ信号については、「Ｓａｃ」、「Ｓｂｙ」のように、信号名を「Ｓ」と２桁のアルファベットで表す。アルファベットの１桁目の「ａ」、「ｂ」などは信号名の識別用である。２桁目の「ｃ」はコンポジット信号であることを示し、「ｙ」はＹ／Ｃ信号であることを示す。また、デジタル化された信号については、「Ｓｃ」、「Ｓｄ」のように、信号名を「Ｓ」と信号名識別用の１桁のアルファベットで表す。尚、本発明では外部入力端子１４から入力されるコンポジット信号は使用しないので、入力信号選択部１６は放送映像信号Ｓａｃまたは外部映像信号Ｓｂｙのいずれかを出力するものとする。このことを信号名「Ｓａｃ／Ｓｂｙ」で表している。また、Ｙ／Ｃ信号はＹ信号（輝度信号）とＣ信号（クロマ信号）との２つの信号からなるが、１本の信号線で図示する。
【００１６】
ビデオデコーダ１７は、制御部１０からの制御信号によって入力信号（放送映像信号Ｓａｃまたは外部映像信号Ｓｂｙ）の種別を判別し、判別結果に基づいて入力信号を１つの輝度信号と２つの色差信号とに分離した後にデジタル化することにより、デジタル信号（以下、記録映像信号Ｓｃという）を出力する。記録映像信号ＳｃはＭＰＥＧ２エンコーダ１８によってＭＰＥＧ２方式に符号化される。そして、符号化された信号は、ＤＶＤ記録再生部１９で記録型のＤＶＤ２０（ＤＶＤ−ＲやＤＶＤ−ＲＷなど）に記録される。ＤＶＤ記録再生部１９は、符号化された信号をＤＶＤ２０の書き込み信号に変調する変調回路、ＤＶＤ２０から読み出された信号を復調する復調回路、光ピックアップ、ＤＶＤ２０を回転させるための回転駆動機構等から構成される。
【００１７】
ＤＶＤ記録再生部１９で再生された（読み出された）ＤＶＤ２０のデータは、ＭＰＥＧ２デコーダ２２で復号化される。復号化された信号、すなわち再生映像信号Ｓｄはビデオエンコーダ２１に入力される。上記の記録映像信号Ｓｃもビデオエンコーダ２１に入力される。ビデオエンコーダ２１は、制御部１０によって設定された制御データに従って、再生映像信号Ｓｄまたは記録映像信号Ｓｃのいずれか一方をエンコードしてコンポジット信号（以下、コンポジット映像信号Ｓｆｃという）およびＹ／Ｃ信号（以下、Ｙ／Ｃ映像信号Ｓｅｙという）を出力する。ここで、ビデオエンコーダ２１が記録映像信号Ｓｃをエンコードする理由について説明する。
【００１８】
第１には、ＶＨＳ方式のＶＴＲ（ビデオテープレコーダ）と同様な機能を持つＶＴＲ部２４が、Ｙ／Ｃ信号の映像情報をビデオテープ２５に記録する機能を持たないからである。そこで、装置は、Ｙ／Ｃ信号である外部映像信号Ｓｂｙから変換されたコンポジット映像信号Ｓｆｃを用いることにより、外部映像信号Ｓｂｙの映像情報をビデオテープ２５に記録できるようにしている。第２には、コンポジット信号を用いるよりもＹ／Ｃ信号を用いた方が放送映像をモニタ２７に綺麗に表示できるからである。そこで、装置は、コンポジット信号である放送映像信号Ｓａｃから変換されたＹ／Ｃ映像信号Ｓｅｙによって放送映像をモニタ２７に表示させるようにしている。
【００１９】
ＶＴＲ入力選択部２３は、制御部１０が設定する制御データに従って、入力信号選択部１６の出力信号（コンポジット信号である放送映像信号Ｓａｃだけが選択の対象であることを図中の（Ｓａｃ）で示す）またはコンポジット映像信号Ｓｆｃのいずれか一方を選択して出力する。上記の制御データによって、放送映像をビデオテープ２５に記録する場合には放送映像信号Ｓａｃが選択され、外部映像信号Ｓｂｙの映像をビデオテープ２５に記録する場合にはコンポジット映像信号Ｓｆｃが選択される。ＶＴＲ部２４は、記録時にはＶＴＲ入力選択部２３が出力するコンポジット信号を通常のＶＴＲと同様にしてビデオテープ２５に記録し、再生時にはビデオテープ２５に記録されたデータを再生して、コンポジット信号を出力する。
【００２０】
出力信号選択部２８は、制御部１０が設定する制御データに従って、入力信号選択部１６の出力信号（外部映像信号Ｓｂｙだけが選択の対象であることを図中の（Ｓｂｙ）で示す）またはＹ／Ｃ映像信号Ｓｅｙのいずれか一方を選択して出力する。上記の制御データによって、外部映像信号Ｓｂｙの映像をモニタ２７に表示させる場合には外部映像信号Ｓｂｙが選択され、放送映像またはＤＶＤ２０の再生映像をモニタ２７に表示させる場合にはＹ／Ｃ映像信号Ｓｅｙが選択される。映像信号処理／増幅部２６は、制御部１０が設定する制御データに従って、ＶＴＲ部２４の出力信号（コンポジット信号）または出力信号選択部２８の出力信号（Ｙ／Ｃ信号）のいずれか一方を選択し、選択した信号から垂直同期信号や水平同期信号、Ｒ，Ｇ，Ｂ信号を抽出し、さらに抽出した信号を増幅して出力する。上記の制御データによって、ビデオテープ２５の再生時にはＶＴＲ部２４の出力信号が選択され、それ以外の場合には出力信号選択部２８の出力信号が選択される。上記の増幅された信号でモニタ２７が駆動されることにより、放送映像やビデオテープ２５の再生映像などがモニタ２７に表示される。
【００２１】
図２は、選択機能を有する各部の選択状況を装置の動作ごとに示す図であり、図１と対比して見ることで各動作の概要が一瞥して分かるようにしたものである。まず、本発明に係る外部映像信号Ｓｂｙの映像情報をビデオテープ２５に記録するときの動作について説明する。制御部１０は、外部映像信号Ｓｂｙを選択するように入力信号選択部１６を設定し、記録映像信号Ｓｃをエンコードするようにビデオエンコーダ２１を設定し、コンポジット映像信号Ｓｆｃを選択するようにＶＴＲ入力選択部２３を設定する。これにより、Ｙ／Ｃ信号である外部映像信号Ｓｂｙから変換されたコンポジット映像信号ＳｆｃがＶＴＲ部２４に入力され、コンポジット映像信号Ｓｆｃによって外部映像信号Ｓｂｙの映像情報がビデオテープ２５に記録される。さらに、制御部１０が、外部映像信号Ｓｂｙを選択するように出力信号選択部２８を設定し、出力信号選択部２８の出力信号を選択するように映像信号処理／増幅部２６を設定するので、外部映像信号Ｓｂｙによって映像がモニタ２７に表示される。
【００２２】
上記のようにすることで、ＶＴＲ部２４がＹ／Ｃ信号をビデオテープ２５に記録する機能を備えていなくても、外部映像信号Ｓｂｙの映像情報をビデオテープ２５に記録することができる。しかも、ＤＶＤ２０の記録・再生に必須のビデオデコーダ１７とビデオエンコーダ２１とを用いて、Ｙ／Ｃ信号である外部映像信号Ｓｂｙをコンポジット信号に変換するので、Ｙ／Ｃ信号をコンポジット信号に変換する専用の変換回路を追加しなくても外部映像信号Ｓｂｙの映像情報をビデオテープ２５に記録することができる。
【００２３】
他の動作についても参考までに以下に説明する。まず、放送映像信号Ｓａｃをビデオテープ２５に記録するときの動作について説明する。制御部１０は、放送映像信号Ｓａｃを選択するように入力信号選択部１６を設定し、放送映像信号Ｓａｃを選択するようにＶＴＲ入力選択部２３を設定する。これにより、ＶＴＲ部２４に入力される放送映像信号Ｓａｃがビデオテープ２５に記録される。さらに、制御部１０が、記録映像信号Ｓｃをエンコードするようにビデオエンコーダ２１を設定し、Ｙ／Ｃ映像信号Ｓｅｙを選択するように出力信号選択部２８を設定し、出力信号選択部２８の出力信号を選択するように映像信号処理／増幅部２６を設定するので、放送映像がＹ／Ｃ信号によってモニタ２７に表示される。この場合、ビデオエンコーダ２１が出力するコンポジット映像信号Ｓｆｃと放送映像信号Ｓａｃとは略同じであるので、コンポジット映像信号Ｓｆｃを用いてビデオテープ２５の記録を行うようにすればＶＴＲ入力選択部２３を省くことができる。
【００２４】
次に、ビデオテープ２５を再生する場合の動作について説明する。制御部１０がＶＴＲ部２４に再生開始信号を送信することにより、ＶＴＲ部２４はビデオテープ２５の再生を開始する。このとき、制御部１０がＶＴＲ部２４の出力信号を選択するように映像信号処理／増幅部２６を設定することにより、ビデオテープ２５の再生映像がモニタ２７に表示される。次に、ＤＶＤ２０を再生する場合の動作について説明する。制御部１０がＤＶＤ記録再生部１９などに再生開始信号を送信することにより、ＤＶＤ２０の再生が開始される。このとき、制御部１０が、再生映像信号Ｓｄをエンコードするようにビデオエンコーダ２１を設定し、Ｙ／Ｃ映像信号Ｓｅｙを選択するように出力信号選択部２８を設定し、出力信号選択部２８の出力信号を選択するように映像信号処理／増幅部２６を設定するので、ＤＶＤ２０の再生映像がＹ／Ｃ信号によってモニタ２７に表示される。尚、放送映像信号Ｓａｃまたは外部映像信号ＳｂｙをＤＶＤ２０に記録するときの動作、およびテレビ放送をモニタ２７に表示させるときの動作については、特に説明する内容もないので省略する。
【００２５】
図３は、本発明に係る記録再生装置の一例であるＤＶＤレコーダ・ＶＴＲ一体型装置（以下、装置という）のブロック図である。図１の装置では外部映像信号Ｓｂｙの映像やビデオテープ２５の再生映像がモニタ２７に表示された。それに対し、図３の装置は、コンポジット信号ドライバ５０とＹ／Ｃ信号ドライバ５１とを有すると共に、ＤＶＤ２０の再生信号などを外部出力端子５２，５３から出力する点で図１の装置と異なる。
【００２６】
コンポジット信号ドライバ５０は、制御部１０が設定する制御データに従って、ＤＶＤ２０の再生信号であるコンポジット映像信号Ｓｆｃ、ＶＴＲ部２４が出力するビデオテープ２５の再生信号（コンポジット信号）、または放送映像信号Ｓａｃのいずれか１つを選択し、選択した信号の出力インピーダンスが所定の値になるように変換して出力する。Ｙ／Ｃ信号ドライバ５１は、放送映像信号Ｓａｃまたは再生映像信号Ｓｄから変換されたＹ／Ｃ映像信号Ｓｅｙの出力インピーダンスが所定の値になるように変換して出力する。従って、外部出力端子５２からはコンポジット信号が出力され、外部出力端子５３からはＹ／Ｃ信号が出力される。尚、図３の装置では放送受信部１３を必ずしも備える必要はなく、テレビ放送のコンポジット信号を外部入力端子１４から入力し、このコンポジット信号を用いて放送映像をＤＶＤ２０およびビデオテープ２５に記録するようにしてもよい。
【００２７】
以上述べた実施形態においては、ビデオデコーダ１７が出力する記録映像信号Ｓｃをビデオエンコーダ２１でエンコードすることによりコンポジット信号（コンポジット映像信号Ｓｆｃ）およびＹ／Ｃ信号（Ｙ／Ｃ映像信号Ｓｅｙ）を生成したが、これに代えて、ＭＰＥＧ２エンコーダ１８の出力信号をＭＰＥＧ２デコーダ２２に入力することにより上記の２つの信号を得るようにしても、本発明を実施することができる。このようにした場合には、ビデオデコーダ１７とＭＰＥＧ２エンコーダ１８とが本発明のビデオデコーダに相当し、ビデオエンコーダ２１とＭＰＥＧ２デコーダ２２とが本発明のビデオエンコーダに相当することになる。
【００２８】
また、上記実施形態では、外部入力端子１５から入力されるＹ／Ｃ信号（外部映像信号Ｓｂｙ）をコンポジット信号（コンポジット映像信号Ｓｆｃ）に変換し、このコンポジット信号を用いて上記Ｙ／Ｃ信号の映像情報をビデオテープ２５に記録する場合について説明したが、アナログのコンポーネント信号（輝度信号と２つの色差信号とからなる映像信号）を入力する外部入力端子を追加すると共に、コンポーネント信号を記録映像信号Ｓｃに変換する機能を備えたビデオデコーダを採用し、記録映像信号Ｓｃから変換したコンポジット映像信号Ｓｆｃを用いてコンポーネント信号の映像情報もビデオテープ２５に記録できるようにしてもよい。
【００２９】
さらに、上記実施形態では、外部端子１５から入力される外部映像信号Ｓｂｙの映像情報をＤＶＤ２０またはビデオテープ２５に記録するときには外部映像信号Ｓｂｙの映像をモニタ２７に表示するようにしたが、入力信号選択部１６などの構成を変更することによって、外部映像信号Ｓｂｙの映像情報の記録時に放送映像をモニタ２７に表示するようにしてもよい。さらに、上記実施形態では、記録ディスクがＤＶＤ２０である場合について説明したが、記録ディスクがＣＤ−ＲＷなどの光ディスクやハードディスクなどであっても本発明を実施することができる。
【図面の簡単な説明】
【００３０】
【図１】ＤＶＤレコーダ・ＶＴＲ一体型テレビジョン受像機のブロック図である。
【図２】選択機能を有する各部の選択状況を装置の動作ごとに示す図である。
【図３】ＤＶＤレコーダ・ＶＴＲ一体型装置のブロック図である。
【符号の説明】
【００３１】
１０  制御部
１３  放送受信部
１５  外部入力端子
１７  ビデオデコーダ
１９  ＤＶＤ記録再生部
２０  ＤＶＤ
２１  ビデオエンコーダ
２４  ＶＴＲ部
２５  ビデオテープ
２７  モニタ
Ｓａｃ  放送映像信号
Ｓｂｙ  外部映像信号
Ｓｃ    記録映像信号
Ｓｄ    再生映像信号
Ｓｅｙ  Ｙ／Ｃ映像信号
Ｓｆｃ  コンポジット映像信号
【図１】
2006135854.tif 000003
【図２】
2006135854.tif 000004
【図３】
2006135854.tif 000005